(57)【特許請求の範囲】
【請求項１】
モータと、前記モータに連結された減速機構と、指針を装着する指針パイプと、前記モータを制御する駆動回路を設けた回路基板と、それらを支持するケース体とを備え、前記指針パイプが前記減速機構を介して前記モータにより駆動する時計のムーブメントにおいて、
当該ムーブメントは、標準時刻電波を受信してその表示時刻を修正する電波修正時計に用いるものであり、
電源となる電池を収納する電池ボックスと、前記ケース体に前記電池ボックスを支持する電池ボックス支持手段と、前記標準時刻電波を受信するアンテナと、前記アンテナを装着するアンテナケースと、前記ケース体に前記アンテナケースを支持するアンテナケース支持手段とを備え、
前記電池ボックス支持手段及び前記アンテナケース支持手段は、前記ケース体に対する前記電池ボックスの支持角度及び前記アンテナケースの支持角度をそれぞれ変更することができるようにしたものであって、
前記ケース体は、扁平型のものであり、
前記電池ボックス支持手段は、前記ケース体に対して前記電池ボックスを回転させることにより、前記ケース体に対する前記電池ボックスの支持角度を変更することができるものであるとともに、前記アンテナケース支持手段は、前記ケース体に対して前記アンテナケースを回転させることにより、前記ケース体に対する前記アンテナケースの支持角度を変更することができるものであり、
前記電池ボックスの回転軸と前記アンテナケースの回転軸とは、前記ケース体の扁平方向と平行であり、且つ互いに平行であり、
前記ケース体に対する前記電池ボックス支持手段と前記アンテナケース支持手段は、ボスを用いた嵌合と、ねじを用いた螺着のいずれかであることを特徴とする時計のムーブメント。
【請求項２】
前記ボスを用いた嵌合は、前記ケース体と、前記電池ボックス又は前記アンテナケースとの一方にボスを設けるとともに、それらの他方に複数の嵌合部を設け、前記複数の嵌合部のいずれかに前記ボスを圧入して嵌合することにより、前記ケース体に前記電池ボックス又はアンテナケースを支持するものであることを特徴とする請求項１記載の時計のムーブメント。
【請求項３】
前記ねじを用いた螺着は、前記ケース体と、前記電池ボックス又は前記アンテナケースとの一方に雌ねじ部を設けるとともに、それらの他方に複数の通孔を設け、前記複数の通孔のいずれかに挿通した雄ねじ部品を前記雌ねじ部に螺合することにより、前記ケース体に前記電池ボックス又はアンテナケースを支持するものであることを特徴とする請求項１記載の時計のムーブメント。
【発明の詳細な説明】
【技術分野】
【０００１】
本発明は、時計の指針を駆動するムーブメントに関するものである。
【背景技術】
【０００２】
時計の指針を駆動するムーブメントは、指針パイプが減速機構を介してモータにより駆動する構成となっている。ムーブメントのケース体には、モータを制御する駆動回路が設けられている。モータは、駆動回路に設定されたプログラムに基づいて制御される。この種のムーブメントは、特許文献１乃至５にも開示されている。
【０００３】
また、電源となる電池の配置構成としては、特許文献６に開示されたもののように、ムーブメントを収納する筐体に電池収納部を設ける構成や、特許文献７及び８に開示されたもののように、ムーブメントのケースに電池や電池ボックスを設ける構成がある。
【先行技術文献】
【特許文献】
【０００４】
【特許文献１】特開平７−１９８８７１号公報
【特許文献２】特開平１０−１２３２６６号公報
【特許文献３】特開２００１−４２０６０号公報
【特許文献４】特開２００７−１３２８２２号公報
【特許文献５】特開２００８−２４１５３８号公報
【特許文献６】特開２０００−７５０５６号公報
【特許文献７】特開２００３−１３９８７１号公報
【特許文献８】特公平０６−４８２９５号公報
【発明の概要】
【発明が解決しようとする課題】
【０００５】
さて近年では、時計の形態は益々多様化される傾向にあり、時計のムーブメントについても、各種時計に対応すべく汎用性の向上が求められている。
【０００６】
時計の筐体は、形や大きさが様々であるところ、筐体内部に設けるムーブメントは、その形状が所定の筐体に適応するものを採用する必要がある。実際の時計の設計現場においては、採用するムーブメントに合わせて時計の設計がなされている。
【０００７】
ここで、ムーブメントのケースに電池を設けることによれば、ユニットとしての機能を向上することができるとともに、製造上組立てが有利となる利点がある。但し、ムーブメントとしては大型化するため、その形状が確定していると、これが設計上の大きな制約となる場合がある。時計としては、薄型の壁掛け時計や、適宜箱型の目覚し時計等があり、これらの時計にそれぞれ適応するためには、何らかの工夫が必要とされる。
【０００８】
また特に、標準時刻電波を受信してその表示時刻を修正する電波修正時計の使用が広まっており、電波修正時計に用いるムーブメントについても、構造の簡素化や製造性の向上等を踏まえつつ、更なる工夫が求められている。
【０００９】
アンテナをムーブメントに設けるにあたり、注意すべきは、アンテナに対するモータのノイズの影響である。モータが発生する磁界は、ノイズとなりアンテナの受信感度を低下させるので、モータとアンテナとの間隔は、大きいほうが望ましい。但し、時計の内部に設けるムーブメントとしては、できるだけ小型化することが望ましいという要請もあり、アンテナの配置構成も重要な問題となる。
【００１０】
一般に、この種のムーブメントは、時分針を駆動する第１ステッピングモータと、秒針を駆動する第２ステッピングモータとを備えており、第２ステッピングモータのノイズが第１ステッピングモータのノイズよりも遥かに大きい。従って、第２ステッピングモータとアンテナとの間隔を考慮する必要がある。また、第２ステッピングモータのノイズは、その運針方法に依存する。第２ステッピングモータの運針方法としては、ステップ運針、すなわち毎秒１つのパルス電流を供給する方法と、連続運針、すなわち１秒よりも短い間隔でパルス電流を連続供給する方法が知られている。ノイズは、ステップ運針よりも連続運針の場合に大きい。更に、モータや減速機構は、運針方法に応じて異なるものを使用するところ、ムーブメントのケース体については、共通の部材を利用可能とすることが望ましいとされる。
【００１１】
つまるところ、ケース体は、ステップ運針と連続運針に対応すべく第２ステッピングモータ及び減速機構の互換性を備えるとともに、アンテナの位置については、第２ステッピングモータのノイズの差に対処するための工夫が必要とされる。
【００１２】
本発明は、かかる事情に鑑みてなされたものであり、その目的は、時計を設計するにあたり汎用性に優れた時計のムーブメントを提供することである。
【課題を解決するための手段】
【００１３】
本願第１請求項に記載した発明は、モータと、前記モータに連結された減速機構と、指針を装着する指針パイプと、前記モータを制御する駆動回路を設けた回路基板と、それらを支持するケース体とを備え、前記指針パイプが前記減速機構を介して前記モータにより駆動する時計のムーブメントにおいて、実施例で用いた符号を付して記すと、
当該ムーブメント（１）は、標準時刻電波を受信してその表示時刻を修正する電波修正時計に用いるものであり、
電源となる電池を収納する電池ボックス（６６０）と、前記ケース体（６００）に前記電池ボックスを支持する電池ボックス支持手段（６７０）と、前記標準時刻電波を受信するアンテナ（８００）と、前記アンテナを装着するアンテナケース（６８０）と、前記ケース体に前記アンテナケースを支持するアンテナケース支持手段（６９０）とを備え、
前記電池ボックス支持手段（６７０）及び前記アンテナケース支持手段（６９０）は、前記ケース体（６００）に対する前記電池ボックス（６６０）の支持角度及び前記アンテナケース（６８０）の支持角度をそれぞれ変更することができるようにしたものであって、
前記ケース体（６００）は、扁平型のものであり、
前記電池ボックス支持手段（６７０）は、前記ケース体に対して前記電池ボックスを回転させることにより、前記ケース体に対する前記電池ボックスの支持角度を変更することができるものであるとともに、前記アンテナケース支持手段（６９０）は、前記ケース体に対して前記アンテナケースを回転させることにより、前記ケース体に対する前記アンテナケースの支持角度を変更することができるものであり、
前記電池ボックス（６６０）の回転軸と前記アンテナケース（６８０）の回転軸とは、前記ケース体（６００）の扁平方向と平行であり、且つ互いに平行であり、
前記ケース体（６００）に対する前記電池ボックス支持手段（６７０）と前記アンテナケース支持手段（６９０）は、ボス（６７１，６９１）を用いた嵌合と、ねじ（６７６，６７８，６９６，６９８）を用いた螺着のいずれかである構成の時計のムーブメントである。
【００１４】
本願第２請求項に記載した発明は、請求項１において、前記ボスを用いた嵌合は、前記ケース体と、前記電池ボックス又は前記アンテナケースとの一方にボスを設けるとともに、それらの他方に複数の嵌合部を設け、前記複数の嵌合部のいずれかに前記ボスを圧入して嵌合することにより、前記ケース体に前記電池ボックス又はアンテナケースを支持する構成の時計のムーブメントである。
【００１５】
本願第３請求項に記載した発明は、請求項１において、前記ねじを用いた螺着は、前記ケース体と、前記電池ボックス又は前記アンテナケースとの一方に雌ねじ部を設けるとともに、それらの他方に複数の通孔を設け、前記複数の通孔のいずれかに挿通した雄ねじ部品を前記雌ねじ部に螺合することにより、前記ケース体に前記電池ボックス又はアンテナケースを支持する構成の時計のムーブメントである。
【発明の効果】
【００１８】
本発明によれば、時計を設計するにあたり汎用性に優れた時計のムーブメントを得ることができる。
【図面の簡単な説明】
【００１９】
【図１】本発明の実施例に係り、時計のムーブメントを示す正面図である。
【図２】本発明の実施例に係り、時計のムーブメント（アンテナケース及び電池ボックスを分離した状態）を示す正面図である。
【図３】本発明の実施例に係り、時計のムーブメント（アンテナケース及び電池ボックスを分離した状態）を示す側面図である。
【図４】本発明の実施例に係り、時計のムーブメント（アンテナケース及び電池ボックスを分離した状態）を示す背面図である。
【図５】本発明の実施例に係り、時計のムーブメントの内部を示す説明図である。
【図６】本発明の実施例に係り、電池ボックス支持手段を示す説明図である。
【図７】本発明の実施例に係り、電池ボックス支持手段を示す説明図である。
【図８】本発明の実施例に係り、アンテナケース支持手段を示す説明図である。
【図９】本発明の実施例に係り、アンテナケース支持手段を示す説明図である。
【図１０】本発明の実施例に係り、本発明の実施例に係り、時計のムーブメント（アンテナケース及び電池ボックスを分離した状態）を示す正面図である。
【図１１】本発明の実施例に係り、電池ボックス支持手段を示す説明図である。
【図１２】本発明の実施例に係り、電池ボックス支持手段を示す説明図である。
【図１３】本発明の実施例に係り、アンテナケース支持手段を示す説明図である。
【図１４】本発明の実施例に係り、アンテナケース支持手段を示す説明図である。
【発明を実施するための形態】
【００２０】
以下に、本発明の実施例を図面に基づいて説明する。図１乃至図８に示す本例の時計のムーブメント１は、複数のモータ２１０，２２０と、各モータ２１０，２２０に連結されたギア列からなる減速機構３１０，３２０と、指針を装着する指針パイプ４１０，４２０，４３０と、モータ２１０，２２０を制御する駆動回路を設けた回路基板５００と、それらを支持するケース体６００とを備え、指針パイプ４１０，４２０，４３０が減速機構３１０，３２０を介してモータ２１０，２２０により駆動する構成となっている。
【００２１】
具体的には、時針を装着する時針パイプ４１０、分針を装着する分針パイプ４２０、秒針を装着する秒針パイプ４３０が同心軸状に設けられている。尚、中心に位置する秒針パイプ４３０は、特にパイプ状の部材でなくともよい。図例した秒針パイプ４３０は、軸状の部材である。
【００２２】
そして、第１ステッピングモータ２１０に連結された第１減速機構３１０が分針パイプ４２０の基端部に設けられた分針車４２１と連結されている。第２ステッピングモータ２２０に連結された第２減速機構３２０が秒針パイプ４３０の基端部に設けられた秒針車４３１と連結されている。また、分針パイプ４２０の基端部に設けられたカナ４２２が日の裏車３１１と連結されており、時針パイプ４１０の基端部に設けられた時針車４１１が日の裏車３１１のカナ３１２と連結されている。
【００２３】
時針パイプ４１０及び分針パイプ４２０が第１ステッピングモータ２１０によりそれぞれ所定の速度で回転駆動し、秒針パイプ４３０が第２ステッピングモータにより所定の速度で回転駆動する。
【００２４】
尚、図中の７００は、発光素子７１０及び受光素子７２０からなる位置検出手段である。発光素子７１０及び受光素子７２０の間に位置する駆動部材の要所には、発光素子７１０の光を透過する透光部７３０が設けられており、受光素子７２０の検出パターンから各指針パイプ４１０，４２０，４３０の回転位置を検出する構成となっている。
【００２５】
また、本例のムーブメント１は、標準時刻電波を受信してその表示時刻を修正する電波修正時計に用いるものであって、電源となる電池を収納する電池ボックス６６０と、ケース体６００に電池ボックス６６０を支持する電池ボックス支持手段６７０と、標準時刻電波を受信するアンテナ８００と、アンテナ８００を装着するアンテナケース６８０と、ケース体６００にアンテナケース６８０を支持するアンテナケース支持手段６９０とを備えている。アンテナ８００は、鉄芯にコイルを巻いてなる棒状のものであり、アンテナケース６８０に対しては、スナップ止め、又は接着材にて装着される構成となっている。回路基板５００には、受信の動作を制御する受信回路が設けられている。
【００２６】
また、後述するように、電池ボックス６６０を支持する電池ボックス支持手段６７０は、ケース体６００に対する電池ボックス６６０の支持角度を変更することができる構成となっている。同様に、アンテナケース６８０を支持するアンテナケース支持手段６９０は、ケース体６００に対するアンテナケース６８０の支持角度を変更することができる構成となっている。
【００２７】
ケース体６００は、背面側の第１ケース部材６１０及び正面側の第２ケース部材６２０をその厚さ方向に組付けてなる扁平型のものである。第１ケース部材６１０及び第２ケース部材６２０の間には、モータ２１０，２２０を装着した中板６０１が設けられている。
【００２８】
このケース体６００の内部には、モータ２１０，２２０、減速機構３１０，３２０、及び指針パイプ４１０，４２０，４３０の基端部が収納されている。第１ケース部材６１０、第２ケース部材６２０、及び中板６０１の要所には、各構成部材を保持する凹凸、ボス、及び支軸等が形成されている。指針パイプ４１０，４２０，４３０の先端部は、第２ケース部材６２０から正面に向けて突出している。第１ケース部材６１０及び第２ケース部材６２０は、互いにねじ止めされている。回路基板５００は、第２ケース部材６２０の正面に重ねてねじ止めし、装着されている。回路基板５００には、指針パイプ４１０，４２０，４３０を挿通する孔部が設けられている。
【００２９】
本例のムーブメント１は、ケース体６００を組付け、これに回路基板５００、電池ボックス６６０、及びアンテナケース６８０を設け、アンテナケース６８０にアンテナ８００を装着し、アンテナ８００のリード線、及び電池ボックス６６０のリード線を回路基板５００にハンダ付けしてそれらを電気的に接続した後に、回路基板５００に搭載されたコンデンサ等の受信回路の電子部品を操作してアンテナ８００のチューニングをする構成となっている。かかる製造段階においては、必要に応じて電池ボックス６６０に電池を装着する。
【００３０】
本例の場合、このように回路基板５００及びアンテナ８００を設けた後、更に回路基板５００の正面に目安機構９００を設けている。この目安機構９００は、第２ケース部材６２０の正面に第３ケース部材６３０をねじ止めし、この第３ケース部材６３０と回路基板５００との間に設けられている。指針パイプ４１０，４２０，４３０の先端部は、第３ケース部材６３０を貫通している。
【００３１】
目安機構９００の具体的構成は、特に限定はしないが、本例の場合、不図示の操作手段にて使用者が任意に回転操作する目安車９１０と、時針パイプ４１０と同期回転する時伝え車９２０と、時伝え車９２０に追従する目安カム９３０と、目安カム９３０を目安車９１０側に付勢する所定の形状の板バネ９４０と、回路基板５００に設けられた目安接点９５０とを備え、時針パイプ４１０の駆動に連動して板バネ９４０が目安接点９５０と離合して、目安接点９５０のＯＦＦ／ＯＮが切換えられる構成となっている。
【００３２】
目安車９１０の要所には孔部９１１が設けられており、目安カム９３０は、一回転に一度、その突起部９３１が目安車９１０の孔部９１１に没入することにより、目安車９１０側にある程度移動する。目安カム９３０が目安車９１０側に移動すると、板バネ９４０の所定の部位が目安接点９５０と接触し、目安接点９５０がＯＦＦからＯＮとなる。また、突起部９３１の先端には、所定の向きのテーパーが設けられており、突起部９３１は、目安車９１０の孔部９１１に没入した後、目安カム９３０がある程度回転したところで、その孔部９１１から外脱する。突起部９３１が孔部９１１から外脱すると、板バネ９４０が目安接点９５０から離れて、目安接点９５０がＯＮからＯＦＦとなる。かかる目安機構９００は、必要に応じて取り付け可能となっている。
【００３３】
次に、電池ボックス支持手段６７０について詳述する。図６に示すように、本例の電池ボックス支持手段６７０は、ケース体６００及び電池ボックス６６０の一方にボス６７１を設けるとともに、それらの他方に複数の嵌合部６７２を設け、複数の嵌合部６７２のいずれかにボス６７１を圧入して嵌合することにより、ケース体６００に電池ボックス６６０を支持するものである。すなわち、ボス６７１を圧入する嵌合部６７２を選択することにより、電池ボックス６６０の支持位置を調整することができるものとなっている。
【００３４】
図例した電池ボックス支持手段６７０は、第１ケース部材６１０に電池ボックス６６０側に延出する第１壁部６７３を複数設け、電池ボックス６６０に第１ケース部材６１０側に延出する第２壁部６７４を複数設け、各第１壁部６７３にそれぞれボス６７１、各第２壁部６７４にそれぞれ複数の嵌合部６７２を設けてなるスナップ式のものである。第２壁部６７４には、ボス６７１を嵌合部６７２へ案内するガイド溝６７５が設けられている。第１壁部６７３及び第２壁部６７４は、ケース体６００の扁平方向に間隔を置いて設けられている。電池ボックス６６０は、第１壁部６７３及び第２壁部６７４を重ね合わせつつボス６７１を所定の嵌合部６７２へ圧入することにより、ケース体６００に支持される。嵌合部６７２は、ケース体６００の正面からみて上下及び前後に設けられており、電池ボックス６６０の支持位置は、ボス６７１を圧入する嵌合部６７２によって上下及び前後に移動する。
【００３５】
また、図７に示すように、この電池ボックス支持手段６７０は、ボス６７１を回転軸として電池ボックス６６０を回転させることにより、ケース体６００に対する電池ボックス６６０の支持角度を変更することができるものとなっている。
【００３６】
更に、アンテナケース支持手段６９０について詳述する。その基本構造は、前述した電池ボックス支持手段６７０と同様である。図８に示すように、本例のアンテナケース支持手段６９０は、ケース体６００及びアンテナケース６８０の一方にボス６９１を設けるとともに、それらの他方に複数の嵌合部６９２を設け、複数の嵌合部６９２のいずれかにボス６９１を圧入して嵌合することにより、ケース体６００にアンテナケース６８０を支持するものである。すなわち、ボス６９１を圧入する嵌合部６９２を選択することにより、アンテナケース６８０の支持位置を調整することができるものとなっている。これは、モータ２１０,２２０とアンテナ８００との間隔を調整することができることを意味する。
【００３７】
図例したアンテナケース支持手段６９０は、第１ケース部材６１０にアンテナケース６８０側に延出する第１壁部６９３を複数設け、アンテナケース６８０に第１ケース部材６１０側に延出する第２壁部６９４を複数設け、各第１壁部６９３にそれぞれボス６９１、各第２壁部６９４にそれぞれ複数の嵌合部６９２を設けてなるスナップ式のものである。第２壁部６９４には、ボス６９１を嵌合部６９２へ案内するガイド溝６９５が設けられている。第１壁部６９３及び第２壁部６９４は、ケース体６００の扁平方向に間隔を置いて設けられている。アンテナケース６８０は、第１壁部６９３及び第２壁部６９４を重ね合わせつつボス６９１を所定の嵌合部６９２へ圧入することにより、ケース体６００に支持される。嵌合部６９２は、ケース体６００の正面からみて上下及び前後に設けられており、アンテナケース６８０の支持位置は、ボス６９１を圧入する嵌合部６９２によって上下及び前後に移動する。
【００３８】
また、図９に示すように、このアンテナケース支持手段６９０は、ボス６９１を回転軸としてアンテナケース６８０を回転させることにより、ケース体６００に対するアンテナケース６８０の支持角度を変更することができるものとなっている。
【００３９】
以上のように、電池ボックス支持手段６７０は、ケース体６００に対して電池ボックス６６０を回転させることにより、ケース体６００に対する電池ボックス６６０の支持角度を変更することができるものであるとともに、アンテナケース支持手段６９０は、ケース体６００に対してアンテナケース６８０を回転させることにより、ケース体６００に対するアンテナケース６８０の支持角度を変更することができるものである。また、図例の通り、電池ボックス６６０の回転軸とアンテナケース６８０の回転軸とは、ケース体６００の扁平方向と平行であり、且つ互いに平行となっている。
【００４０】
このような構成によると、時計の筐体内部におけるレイアウトの自由度を向上することができる。時計の筐体は、形や大きさが様々であり、筐体内部に設けるムーブメント１は、このように電池ボックス６６０及びアンテナケース６８０の支持角度をそれぞれ変更可能とすることにより、より汎用性に優れたものとなる。例えば、電池ボックス６６０及びアンテナケース６８０をケース体６００の扁平方向に支持したものは、薄型の壁掛け時計に有利であり、それらをケース体６００の厚さ方向に支持したものは、箱型の目覚し時計に有利である。
【００４１】
更に本例の構成によると、標準時刻電波の受信感度を良好に確保することが可能となる。以下に、その考え方について説明する。
【００４２】
第２ステッピングモータ２２０及び第２減速機構３２０は、秒針の運針方法に応じて異なるものが使用される。ケース体６００については、共通の部材を利用可能とすることが望ましい。第１ケース部材６１０、第２ケース部材６２０、及び中板６０１に形成された凹凸、ボス、及び支軸等は、運針方法が異なる第２ステッピングモータ２２０及び第２減速機構３２０をそれぞれ設けることができるように予め設計されている。
【００４３】
第２ステッピングモータ２２０の運針方法としては、ステップ運針と連続運針がある。ステップ運針の場合は、ノイズの影響が比較的少ないので、第２ステッピングモータ２２０とアンテナ８００との間隔は短くともよい。故に、第２ステッピングモータ２２０とアンテナ８００との間隔を短く調整することにより、不要な大型化を回避する。
【００４４】
一方、連続運針の場合は、ステップ運針と比較するとノイズの影響が遥かに大きいので、第２ステッピングモータ２２０とアンテナ８００との間隔が短いと、標準時刻電波の受信がおぼつかなくなる恐れがある。そこで、第２ステッピングモータ２２０とアンテナ８００との間隔を長く調整することにより、標準時刻電波の受信感度を良好に確保する。
【００４５】
尚、運針方法としては、パルス電流を１秒間隔で間欠的に供給する方法もある。例えば、１秒毎の電流供給時間を０．５秒とし、その０．５秒間におけるパルス数を１６とする。このような駆動方法によると、秒針はステップ運針と同様に１秒毎に停止するが、ステップ運針と比較すると秒針の動きが円滑で美しいものとなる。但し、ノイズの影響は連続運針と同等又はそれよりも大きくなるので、第２ステッピングモータ２２０とアンテナ８００との間隔は長く調整する。
【００４６】
このように、ノイズの影響は、使用する第２ステッピングモータ２２０やその運針方法に依存するところ、本例では、アンテナケースの支持位置を変更することにより、これに適宜対処することができる。
【００４７】
以上説明したように、本例のムーブメントは、電波修正時計のムーブメントとして極めて合理的に構成されたものである。尚、本例における各部の構成は、特許請求の範囲に記載した技術的範囲において適宜に設計変更が可能であり、図例説明したものに限定されないことは勿論である。
【００４８】
次に、本例の第２実施例を説明する。図１０乃至図１４に示すように、本例の電池ボックス支持手段６７０は、ケース体６００及び電池ボックス６６０の一方に雌ねじ部６７６を設けるとともに、それらの他方に複数の通孔６７７を設け、複数の通孔６７７のいずれかに挿通した雄ねじ部品６７８を雌ねじ部６７６に螺合することにより、ケース体６００に電池ボックス６６０を支持するものである。すなわち、雄ねじ部品６７８を挿通する通孔６７７を選択することにより、電池ボックス６６０の支持位置を調整することができるものとなっている。
【００４９】
図例した電池ボックス支持手段６７０は、各第１壁部６７３にそれぞれ雌ねじ部６７６、各第２壁部６７４にそれぞれ複数の通孔６７７を設けてなるものである。電池ボックス６６０は、第１壁部６７３及び第２壁部６７４を重ね合わせつつ所定の通孔６７７に挿通した雄ねじ部品６７８を雌ねじ部６７６に螺合することにより、ケース体６００に支持される。通孔６７７は、ケース体６００の正面からみて上下及び前後に設けられており、電池ボックス６６０の支持位置は、雄ねじ部品６７８を挿通する通孔６７７によって上下及び前後に移動する。
【００５０】
また、この電池ボックス支持手段６７０は、雄ねじ部品６７８を中心に電池ボックス６６０を回転させることにより、ケース体６００に対する電池ボックス６６０の支持角度を変更することができるものとなっている。
【００５１】
更に、本例のアンテナケース支持手段６９０は、ケース体６００及びアンテナケース６８０の一方に雌ねじ部６９６を設けるとともに、それらの他方に複数の通孔６９７を設け、複数の通孔６９７のいずれかに挿通した雄ねじ部品６９８を雌ねじ部６９６に螺合することにより、ケース体６００にアンテナケース６８０を支持するものである。すなわち、雄ねじ部品６９８を挿通する通孔６９７を選択することにより、モータ２１０,２２０とアンテナ８００との間隔を調整することができるものとなっている。
【００５２】
図例したアンテナケース支持手段６９０は、各第１壁部６９３にそれぞれ雌ねじ部６９６、各第２壁部６９４にそれぞれ複数の通孔６９７を設けてなるものである。アンテナケース６８０は、第１壁部６９３及び第２壁部６９４を重ね合わせつつ所定の通孔６９７に挿通した雄ねじ部品６９８を雌ねじ部６９６に螺合することにより、ケース体６００に支持される。通孔６９７は、ケース体６００の正面からみて上下及び前後に設けられており、アンテナケース６８０の支持位置は、雄ねじ部品６９８を挿通する通孔６９７によって上下及び前後に移動する。
【００５３】
また、このアンテナケース支持手段６９０は、雄ねじ部品６９８を中心にアンテナケース６８０を回転させることにより、ケース体６００に対するアンテナケース６８０の支持角度を変更することができるものとなっている。
【００５４】
このように、ケース体６００に電池ボックス６６０やアンテナケース６８０をねじ止めするように構成することも可能である。
【産業上の利用可能性】
【００５５】
本発明の時計のムーブメントは、アナログ式の壁掛け時計や目覚し時計の時刻表示部を構成するユニットとして、極めて好適に利用することが可能である。
【符号の説明】
【００５６】
１    時計のムーブメント
２１０    第１ステッピングモータ
２２０    第２ステッピングモータ
３１０    第１減速機構
３１１    日の裏車
３１２    カナ
３２０    第２減速機構
４１０    時針パイプ
４１１    時針車
４２０    分針パイプ
４２１    分針車
４２２    カナ
４３０    秒針パイプ
４３１    秒針車
５００    回路基板
６００    ケース体
６０１    中板
６１０    第１ケース部材
６２０    第２ケース部材
６３０    第３ケース部材
６６０    電池ボックス
６７０    電池ボックス支持手段
６７１    ボス
６７２    嵌合部
６７３    第１壁部
６７４    第２壁部
６７５    ガイド溝
６７６    雌ねじ部
６７７    通孔
６７８    雄ねじ部品
６８０    アンテナケース
６９０    アンテナケース支持手段
６９１    ボス
６９２    嵌合部
６９３    第１壁部
６９４    第２壁部
６９５    ガイド溝
６９６    雌ねじ部
６９７    通孔
６９８    雄ねじ部品
７００    位置検出手段
７１０    発光素子
７２０    受光素子
７３０    透光部
８００    アンテナ
９００    目安機構
９１０    目安車
９１１    孔部
９２０    時伝え車
９３０    目安カム
９３１    突起部
９４０    板バネ
９５０    目安接点
【図１】
0005388300.tif 000002
【図２】
0005388300.tif 000003
【図３】
0005388300.tif 000004
【図４】
0005388300.tif 000005
【図５】
0005388300.tif 000006
【図６】
0005388300.tif 000007
【図７】
0005388300.tif 000008
【図８】
0005388300.tif 000009
【図９】
0005388300.tif 000010
【図１０】
0005388300.tif 000011
【図１１】
0005388300.tif 000012
【図１２】
0005388300.tif 000013
【図１３】
0005388300.tif 000014
【図１４】
0005388300.tif 000015